(57)【要約】【課題】排泄された尿を縦方向へ拡散させることができ、コアの略全域を尿吸収に利用することができる使い捨ておむつを提供する。【解決手段】使い捨ておむつ１Ａは、上下面１１，１２を有して前後胴周り域５，７間に延びる吸液性コア２と、コア２の上面１１を覆う被覆上部１４およびコア２の下面１２を覆う被覆下部１５を有する透液性第１シート３と、第１シート３の被覆下部１５の外側に位置する不透液性第２シート４とから構成されている。おむつ１Ａでは、コア２がその上下面１１，１２間を厚み方向へ貫通して前胴周り域５から股下域６に向かって縦方向へ延びる裂開部１３を有し、第１シート３の被覆上部１４と被覆下部１５とが縦中心線Ｌに沿って前胴周り域５から股下域６に向かって縦方向へ延びる導水筒部１６を画成している。【選択図】      図１
2004261200.tif 000002
【特許請求の範囲】
【請求項１】
縦方向に前胴周り域および後胴周り域と、それら胴周り域の間に位置する股下域とを備え、肌当接側に位置する上面および肌非当接側に位置する下面を有して前記前後胴周り域間に延びる吸液性コアと、前記コアの上面を覆う被覆上部および前記コアの下面を覆う被覆下部を有する透液性第１シートと、前記第１シートの被覆下部の外側に位置する不透液性第２シートとから構成された使い捨ておむつにおいて、
前記第１シートの被覆上部が、前記おむつの幅寸法を二分する縦中心線近傍で前記コアの上面から上方へ向かって実質的にループを画くことで、前記縦中心線に沿って縦方向へ延びる導水筒部を画成し、前記導水筒部が、前記前後胴周り域と前記股下域とのうちの少なくとも該前胴周り域から該股下域に向かって延びていることを特徴とする前記おむつ。
【請求項２】
前記縦中心線に沿って前記コアの上下面間を厚み方向へ貫通する裂開部が、前記前後胴周り域と前記股下域とのうちの少なくとも該前胴周り域から該股下域に向かって縦方向へ延び、前記第１シートの被覆下部が、前記コアの下面から前記裂開部をとおって該裂開部の上方へ露出するとともに、前記コアの上面から上方へ向かって実質的にループを画くことで、前記被覆上部と相互に前記導水筒部を画成している請求項１記載のおむつ。
【請求項３】
前記第１シートが、親水性繊維不織布から形成され、前記導水筒部における前記被覆上部の繊維密度が、前記導水筒部を除く前記被覆上部の残余の部位のそれよりも高い請求項１または請求項２に記載のおむつ。
【請求項４】
前記導水筒部における前記被覆下部の繊維密度が、前記導水筒部を除く前記被覆下部の残余の部位のそれよりも高い請求項３記載のおむつ。
【発明の詳細な説明】
【０００１】
【発明の属する技術分野】
本発明は、排泄物を吸収、保持する使い捨ておむつに関する。
【０００２】
【従来の技術】
肌当接側に位置する透液性表面シートと、肌非当接側に位置する不透液性裏面シートと、それらシートの間に介在する吸液性コアとから構成され、縦方向に前胴周り域および後胴周り域と、それら胴周り域の間に位置する股下域とを備えた使い捨ておむつは公知である。おむつは、それを着用すると、表面シートを内側にして縦方向へ湾曲するので、股下域に排泄された尿が排泄位置から横方向へ拡散し易い反面、排泄位置から前胴周り域や後胴周り域に向かって縦方向へ拡散し難い。また、おむつの着用中に排泄された尿は、表面シートを透過してコアに吸収されるが、コアに瞬時に吸収されるわけではなく、そのすべてがコアに吸収されるまでに所定の時間を要する。尿をコアに短時間に吸収させるには、尿を横方向と縦方向とへ拡散させてコアの略全域を尿吸収に利用することが好ましい。
【０００３】
尿を横方向と縦方向とへ拡散させるための多数の条孔を有する使い捨ておむつが開示されている（特許文献１参照）。条孔は、コアをその厚み方向へ貫通し、横方向と縦方向とへ所与寸法離間して並んでいる。条孔では、表裏面シートが互いに重なり合った状態で固着され、表面シートが条孔に沿って溝を形成している。特許文献１に開示のおむつは、尿が条孔に形成された溝に進入して縦方向へ拡散するとともに、縦方向へ隣り合う条孔の間をとおって横方向へ拡散する。
【０００４】
【特許文献１】
特開平９−５１９１３号公報
【０００５】
【発明が解決しようとする課題】
特許文献１に開示のおむつでは、表面シート上に尿が排泄された後、尿が表面シート上を拡散しつつ溝に進入するので、尿の排泄位置によってはそれが溝に直ちに進入せず、おむつにおける尿の縦方向への拡散が遅れる場合がある。尿の縦方向への拡散が遅れると、尿がその排泄位置からおむつの横方向へ拡散してコアの全域を尿吸収に利用することができないばかりか、股下域から尿の横漏れが生じる場合がある。
【０００６】
本発明の目的は、排泄された尿を縦方向へ拡散させることができ、コアの略全域を尿吸収に利用することができる使い捨ておむつを提供することにある。
【０００７】
【課題を解決するための手段】
前記課題を解決するための本発明の前提は、縦方向に前胴周り域および後胴周り域と、それら胴周り域の間に位置する股下域とを備え、肌当接側に位置する上面および肌非当接側に位置する下面を有して前記前後胴周り域間に延びる吸液性コアと、前記コアの上面を覆う被覆上部および前記コアの下面を覆う被覆下部を有する透液性第１シートと、前記第１シートの被覆下部の外側に位置する不透液性第２シートとから構成された使い捨ておむつである。
【０００８】
前記前提における本発明の特徴は、前記第１シートの被覆上部が、前記おむつの幅寸法を二分する縦中心線近傍で前記コアの上面から上方へ向かって実質的にループを画くことで、前記縦中心線に沿って縦方向へ延びる導水筒部を画成し、前記導水筒部が、前記前後胴周り域と前記股下域とのうちの少なくとも該前胴周り域から該股下域に向かって延びていることにある。
【０００９】
本発明の実施態様の一例としては、前記縦中心線に沿って前記コアの上下面間を厚み方向へ貫通する裂開部が、前記前後胴周り域と前記股下域とのうちの少なくとも該前胴周り域から該股下域に向かって縦方向へ延び、前記第１シートの被覆下部が、前記コアの下面から前記裂開部をとおって該裂開部の上方へ露出するとともに、前記コアの上面から上方へ向かって実質的にループを画くことで、前記被覆上部と相互に前記導水筒部を画成している。
【００１０】
本発明の実施態様の他の一例としては、前記第１シートが、親水性繊維不織布から形成され、前記導水筒部における前記被覆上部の繊維密度が、前記導水筒部を除く前記被覆上部の残余の部位のそれよりも高い。
【００１１】
本発明の実施態様の他の一例としては、前記導水筒部における前記被覆下部の繊維密度が、前記導水筒部を除く前記被覆下部の残余の部位のそれよりも高い。
【００１２】
【発明の実施の形態】
添付の図面を参照し、本発明に係る使い捨ておむつの詳細を説明すると、以下のとおりである。
【００１３】
図１，２は、一例として示すおむつ１Ａの部分破断斜視図と、図１のＩＩ−ＩＩ線端面図とであり、図３は、図１のＩＩＩ−ＩＩＩ線矢視断面図である。図１では、横方向を矢印Ｘ、縦方向を矢印Ｙで示し、厚み方向を矢印Ｚで示す。なお、第１および第２シート３，４や防漏シート１０の内面とは、コア２に対向する面をいい、それらシート３，４，１０の外面とは、コア２に非対向の面をいう。
【００１４】
おむつ１Ａは、吸液性コア２と、コア２を包被する透液性第１シート３と、第１シート３の後記する被覆下部の外側に位置する不透液性第２シート４とから構成されている。おむつ１Ａは、縦方向に前胴周り域５および後胴周り域７と、それら胴周り域５，７の間に位置する股下域６とを有する。おむつ１Ａは、その着用時に前後胴周り域５，７を連結するオープン型のものである。
【００１５】
おむつ１Ａは、コア２の両側部２ａの外側に位置して前後胴周り域５，７間を縦方向へ延びる一対のサイドフラップ８と、コア２の両端部２ｂの外側に位置して前後胴周り域５，７を横方向へ延びる一対のエンドフラップ９とを有する。股下域６では、サイドフラップ８がおむつ１Ａの横方向内方へ向かって弧を画いている。おむつ１Ａは、その平面形状が実質的に砂時計型を呈する。サイドフラップ８には、縦方向へ延びる一対の不透液性防漏シート１０が取り付けられている。
【００１６】
コア２は、前後胴周り域５，７間に延び、肌当接側に位置する上面１１と、肌非当接側に位置する下面１２とを有する。コア２は、その上下面１１，１２間を厚み方向へ貫通して縦方向へ延びる裂開部１３を有する。裂開部１３は、おむつ１Ａの幅寸法を二分する縦中心線Ｌ近傍に形成され、前胴周り域５と股下域６の略前半分とに延びている。換言すれば、裂開部１３は、コア２の略前半分であってその横方向中央部に形成されている。
【００１７】
コア２は、フラッフパルプと高吸収性ポリマー粒子との混合物、または、フラッフパルプと高吸収性ポリマー粒子と熱可塑性合成樹脂繊維との混合物であり、所定の厚みに圧縮されている。コア２は、それの型崩れやポリマー粒子の脱落を防止するため、全体がティッシュペーパーに包被されていることが好ましい。
【００１８】
第１シート３は、親水性繊維不織布から形成され、コア２の上面１１全域を覆う被覆上部１４と、コア２の下面１２全域を覆う被覆下部１５とを有する。被覆上部１４は、その略前半分が縦中心線Ｌ近傍（裂開部１３近傍）でコア２の上面から上方へ向かって実質的にループを画いている。被覆下部１５は、その略前半分がコア２の下面から裂開部１３をとおって裂開部１３の上方へ一連に露出するとともに、裂開部１３上でコア２の上面から上方へ向かって実質的にループを画いている。被覆上部１４と被覆下部１５とは、それらがループを画くことで縦中心線Ｌに沿って縦方向へ延びる導水筒部１６を画成している。導水筒部１６は、その断面が略Ω状を呈し、前胴周り域５から股下域６に向かって延びている（図２，３参照）。
【００１９】
被覆上部１４は、導水筒部１６を除く残余の部位１７の内面がコア２の上面１１に断続的に固着されている。被覆下部１５は、導水筒部１６を除く残余の部位１８の内面がコア２の下面１２に断続的に固着されている。被覆下部１５は、部位１８の外面がコア２の両側部２ａと両端部２ｂとにおいて第２シート４の内面に断続的に固着されている。筒部１６において重なり合う被覆上部１４と被覆下部１５とは、それらが互いに固着されていてもよいし、固着されていなくてもよい。
【００２０】
導水筒部１６における被覆上部１４の繊維密度は、筒部１６を除く被覆上部１４の残余の部位１７のそれよりも高い。導水筒部１６における被覆下部１５の繊維密度は、筒部１６を除く被覆下部１６の残余の部位１８のそれよりも高い。導水筒部１６では、被覆上下部１４，１５の繊維密度が０．５×１０−５〜１８×１０−５ｇ／ｍｍ３の範囲にあることが好ましく、被覆上下部１４，１５の坪量が１０〜１００ｇ／ｍ２の範囲にあることが好ましい。部位１７，１８では、被覆上下部１４，１５の繊維密度が０．３×１０−５〜１５×１０−５ｇ／ｍｍ３の範囲にあることが好ましく、被覆上下部１４，１５の坪量が８〜１００ｇ／ｍ２の範囲にあることが好ましい。
【００２１】
防漏シート１０は、エンドフラップ９間に延びている。防漏シート１０は、コア２の両側部２ａの外側に位置して縦方向へ延びる固定側部１０ａと、第１シート１４の被覆上部１４の上方へ起立性向を有して縦方向へ延びる可動部１０ｂと、前後胴周り域５，７に位置しておむつ１Ａの横方向内方へ倒伏した固定両端部１０ｃとを有する。可動部１０ｃの上方には、縦方向へ延びる伸縮性弾性部材１９が収縮可能に取り付けられている。弾性部材１９は、可動部１０ｂの一部に覆われた状態で、可動部１０ｂに固着されている。
【００２２】
サイドフラップ８は、コア２の側部２ａから横方向外方へ延びる第２シート４の側部４ａと防漏シート１０の固定側部１０ａとから形成されている。サイドフラップ８では、第２シート４の側部４ａと防漏シート１０の固定側部１０ａとが重なり合い、側部４ａ，１０ａにおいてそれらシート４，１０の内面どうしが固着されている。サイドフラップ８には、縦方向へ延びる複数条の脚周り用弾性部材２０が収縮可能に取り付けられている。脚周り用弾性部材２０は、第２シート４の側部４ａと防漏シート１０の固定側部１０ａとの間に介在し、それらシート４，１０の内面に固着されている。
【００２３】
エンドフラップ９は、コア２の端部２ｂから縦方向外方へ延びる第１シート３の端部３ｂと第２シート４の端部４ｂとから形成されている。エンドフラップ９では、第１シート３の端部３ｂと第２シート３の端部４ｂとが重なり合い、端部３ｂ，４ｂにおいてそれらシート３，４の内面どうしが固着されている。エンドフラップ９では、筒部１６を形成する第１シート３の被覆上部１４と被覆下部１５とが折り畳まれた状態で第２シート４の端部４ｂ外面に固着されている。防漏シート１０の固定両端部１０ｃは、第１シート３の端部３ｂ外面に固着されている。エンドフラップ１０には、横方向へ延びる帯状の胴周り用弾性部材２１が収縮可能に取り付けられている。胴周り用弾性部材２１は、第１シート３の端部３ｂと第２シート４の端部４ｂとの間に介在し、それらシート３，４の内面に固着されている。
【００２４】
後胴周り域７のサイドフラップ８には、プラスチックフィルムから形成された可撓性のテープファスナ２２が取り付けられている。テープファスナ２２は、横方向へ延びる固定端部２２ａと自由端部２２ｂとを有する。固定端部２２ａは、第２シート４の側部４ａと防漏シート１０の固定側部１０ａとの間に介在し、それらシート４，１０の内面に固着されている。自由端部２２ｂの内面には、粘着剤（図示せず）が塗布されている。自由端部２２ｂは、横方向内方へ折曲された状態にあり、粘着剤を介して防漏シート１０の側部１０ａに剥離可能に仮着されている。前胴周り域５には、テープファスナ２２の自由端部２２ｂを着脱可能に止着する可撓性のターゲットテープ２３が取り付けられている。ターゲットテープ２３は、プラスチックフィルムから形成され、横方向へ長い矩形を呈する。ターゲットテープ２３は、第２シート４の外面に固着されている。
【００２５】
おむつ１Ａを着用するには、後胴周り域７のサイドフラップ８を前胴周り域５のサイドフラップ８の外側に重ね合わせ、粘着剤を介してテープファスナ２２の自由端部２２ｂをターゲットテープ２３に止着して前胴周り域５と後胴周り域７とを連結する。前後胴周り域５，７が連結されたおむつ１Ａには、胴周り開口とその下方に一対の脚周り開口とが形成される（図示せず）。
【００２６】
おむつ１Ａを着用すると、導水筒部１６が着用者の尿排泄部位に当接する。おむつ１Ａの着用中に排泄された尿は、導水筒部１６に滲入し、筒部１６の毛細管現象によって縦方向へ拡散する。尿は、導水筒部１６を介して縦方向へ拡散した後、筒部１６の上方から下方へ向かって滲透し、筒部１６を除く被覆上部１４の残余の部位１７を横方向へ拡散するとともに、筒部１６を除く被覆下部１５の残余の部位１８を横方向へ拡散する。尿は、被覆上部１４を透過してコア２の上面１１からコア２に吸収されるとともに、被覆下部１５を透過してコア２の下面１２からコア２に吸収される。
【００２７】
おむつ１Ａは、導水筒部１６の繊維密度がそこを除く被覆上下部１４，１５の部位１７，１８のそれよりも高いので、筒部１６において毛細管現象が大きく作用し、尿が筒部１６から部位１７，１８に達する前に、尿を縦方向へ素早く拡散させることができる。また、尿が筒部１６から部位１７，１８に達したとしても、尿の横方向への拡散に対して縦方向への拡散が促進され、尿が横方向へ拡散する前に尿を縦方向へ拡散させることができる。
【００２８】
おむつ１Ａでは、尿が導水筒部１６を介して縦方向へ素早く拡散した後、尿が被覆上下部１４，１５の部位１７，１８を横方向へ拡散するので、コア２の略全域を尿吸収に利用することができ、排泄された尿のすべてをコア２に短時間に吸収させることができる。おむつ１Ａは、尿がその排泄位置から直ちに横方向へ拡散することはなく、おむつ１Ａにおける尿の横漏れを防ぐことができる。
【００２９】
導水筒部１６における被覆上下部１４，１５の繊維密度が０．５×１０−５ｇ／ｍｍ３未満では、筒部１６における毛細管現象が弱く、尿が筒部１６に沿って縦方向へ拡散せず、尿が横方向へ拡散して横漏れの原因となる。導水筒部１６を除く被覆上下部１４，１５の残余の部位１７，１８の繊維密度が０．３×１０−５ｇ／ｍｍ３未満では、部位１７，１８における毛細管現象が弱く、尿が部位１７，１８を横方向へ拡散せず、尿が筒部１６の下方に滞留してしまう。
【００３０】
おむつ１Ａは、それが第１シート３の被覆上部１４を内側にして縦方向へ湾曲すると、弾性部材１９が収縮して防漏シート１０の可動部１０ｂが被覆上部１４の上方へ起立する。おむつ１Ａは、起立した防漏シート１０の可動部１０ｂが尿に対する障壁を形成するので、サイドフラップ８からの尿の横漏れを防ぐことができる。
【００３１】
図４，５は、他の一例として示すおむつ１Ｂの部分破断斜視図と、図４のＶ−Ｖ線端面図とであり、図６は、図５のＶＩ−ＶＩ線矢視断面図である。図４では、横方向を矢印Ｘ、縦方向を矢印Ｙで示し、厚み方向を矢印Ｚで示す。
【００３２】
おむつ１Ｂは、吸液性コア２と、透液性第１シート３および不透液性第２シート４とから構成されている。おむつ１Ｂは、前後胴周り域５，７および股下域６とを備え、縦方向へ延びる一対のサイドフラップ８と、横方向へ延びる一対のエンドフラップ９とを有する。サイドフラップ８には、縦方向へ延びる不透液性防漏シート１０が取り付けられている。
【００３３】
コア２は、図１のそれと同一のものであり、前後胴周り域５，７間に延びている。コア２は、肌当接側に位置する上面１１と、肌非当接側に位置する下面１２とを有する。コア２は、その上下面１１，１２間を厚み方向へ貫通して縦方向へ延びる裂開部１３を有する。裂開部１３は、縦中心線Ｌ近傍に形成され、前後胴周り域５，７間に延びている。換言すれば、裂開部１３は、コア２の縦方向全長であってその横方向中央部に形成されている。
【００３４】
第１シート３は、親水性繊維不織布から形成され、コア２の上面１１全域を覆う被覆上部１４と、コア２の下面１２全域を覆う被覆下部１５とを有する。被覆上部１４は、縦中心線Ｌ近傍（裂開部１３近傍）でコア２の上面１１から上方へ向かって実質的にループを画いている。被覆下部１５は、コア２の下面１２から裂開部１３をとおって裂開部１３の上方へ一連に露出するとともに、裂開部１３上でコア２の上面１１から上方へ向かって実質的にループを画いている。被覆上部１４と被覆下部１５とは、縦中心線Ｌに沿って縦方向へ延びる導水筒部１６を画成している。
【００３５】
導水筒部１６は、その断面が略Ω状を呈し、前胴周り域５から後胴周り域７に向かって延びている（図５，６参照）。筒部１６の下方では、第１シート３の被覆上部１４と被覆下部１５とが互いに重なり合った状態で縦方向へ間欠的に並ぶ接合部２４を介して固着されている。
【００３６】
被覆上部１４は、筒部１６を除く残余の部位１７の内面がコア２の上面１１に断続的に固着されている。被覆下部１５は、筒部１６を除く残余の部位１８の内面がコア２の下面１２に断続的に固着され、その外面が第２シート４の内面に断続的に固着されている。導水筒部１６において重なり合う被覆上部１４と被覆下部１５とは、それらが互いに固着されていてもよいし、固着されていなくてもよい。
【００３７】
導水筒部１６における被覆上部１４の繊維密度は、筒部１６を除く被覆上部１５の残余の部位１７のそれよりも高い。導水筒部１６における被覆下部１５の繊維密度は、筒部１６を除く被覆下部１５の残余の部位１８のそれよりも高い。導水筒部１６における被覆上下部１５，１４の繊維密度と坪量とは、図１のそれらと同一であり、部位１７，１８における被覆上下部１４，１５の繊維密度と坪量とは、図１のそれらと同一である。
【００３８】
防漏シート１０は、縦方向へ延びる固定側部１０ａと、被覆上部１４の上方へ起立性向を有する可動部１０ｂと、前後胴周り域５，７に位置しておむつ１Ｂの横方向内方へ倒伏した固定両端部１０ｃとを有する。可動部１０ｂの上方には、縦方向へ延びる伸縮性弾性部材１９が収縮可能に取り付けられている。
【００３９】
サイドフラップ８は、第２シート４の側部４ａと防漏シート１０の固定側部１０ａとから形成されている。サイドフラップ８には、縦方向へ延びる複数条の脚周り用弾性部材２０が収縮可能に取り付けられている。エンドフラップ９は、第１および第２シート３，４の端部３ａ，４ａから形成されている。エンドフラップ９では、筒部１６を画成する第１シート３の被覆上部１４と被覆下部１５とが折り畳まれた状態で第２シート４に固着されている。防漏シート１０の固定両端部１０ｃは、第１シート３の端部３ｂに固着されている。エンドフラップ９には、横方向へ延びる帯状の胴周り用弾性部材２１が収縮可能に取り付けられている。
【００４０】
後胴周り域７のサイドフラップ８には、自由端部２２ｂに粘着剤（図示せず）が塗布されたテープファスナ２２が取り付けられている。前胴周り域５には、テープファスナ２２を着脱可能に止着する横方向へ長い矩形のターゲットテープ２３が取り付けられている。
【００４１】
おむつ１Ｂの着用中に排泄された尿は、着用者の尿排泄部位に当接する導水筒部１６の毛細管現象によって縦方向へ拡散する。尿は、筒部１６を介して縦方向へ拡散した後、筒部１６の上方から下方へ向かって滲透し、被覆上下部１４，１５の部位１７，１８を横方向へ拡散する。おむつ１Ｂは、導水筒部１６が後胴周り域７にまで延びているので、尿を後胴周り域７に向かって拡散させることができ、後胴周り域７に位置するコア２に尿を吸収させることができる。尿は、被覆上部１４を透過してコア２の上面１１からコア２に吸収されるとともに、被覆下部１５を透過してコア２の下面１２からコア２に吸収される。
【００４２】
おむつ１Ｂは、筒部１６の繊維密度が部位１７，１８のそれよりも高いので、筒部１６において毛細管現象が大きく作用し、尿が筒部１６から部位１７，１８に達する前に、尿を縦方向へ素早く拡散させることができる。
【００４３】
おむつ１Ｂでは、尿が導水筒部１６を介して縦方向へ拡散した後、尿が部位１７，１８を横方向へ拡散するので、コア２の略全域を尿吸収に利用することができ、尿をコア２に短時間に吸収させることができる。おむつ１Ｂは、尿がその排泄位置から直ちに横方向へ拡散することはなく、おむつ１Ｂにおける尿の横漏れを防ぐことができる。おむつ１Ｂは、起立した防漏シート１０の可動部１０ｂが尿に対する障壁を形成するので、サイドフラップ８からの尿の横漏れを防ぐことができる。
【００４４】
図７，８は、他の一例として示すおむつ１Ｃの部分破断斜視図と、図７のＶＩＩＩ−ＶＩＩＩ線端面図とであり、図９は、図７のＩＸ−ＩＸ線矢視断面図である。図７では、横方向を矢印Ｘ、縦方向を矢印Ｙで示し、厚み方向を矢印Ｚで示す。
【００４５】
おむつ１Ｃは、吸液性コア２と、透液性第１シート３および不透液性第２シート４とから構成されている。おむつ１Ｃは、前後胴周り域５，７および股下域６とを備え、縦方向へ延びる一対のサイドフラップ８と、横方向へ延びる一対のエンドフラップ９とを有する。サイドフラップ８には、縦方向へ延びる不透液性防漏シート１０が取り付けられている。コア２は、図１のそれと同一のものであり、前後胴周り域５，７間に延びている。コア２は、肌当接側に位置する上面１１と、肌非当接側に位置する下面１２とを有する。
【００４６】
第１シート３は、親水性繊維不織布から形成され、コア２の上面１１全域を覆う被覆上部１４と、コア２の下面１２全域を覆う被覆下部１５とを有する。被覆上部１４は、縦中心線Ｌ近傍でコア２の上面１１から上方へ向かって実質的にループを画くことで、縦中心線Ｌに沿って縦方向へ延びる導水筒部１６を画成している。導水筒部１６は、その断面が略Ω状を呈し、前胴周り域５から後胴周り域７に向かって延びている（図８，９参照）。被覆上部１４は、筒部１６を除く残余の部位１７の内面がコア２の上面１１に断続的に固着されている。被覆下部１５は、その内面がコア２の下面１２に断続的に固着され、その外面が第２シート４の内面に断続的に固着されている。
【００４７】
導水筒部１６における被覆上部１５の繊維密度は、被覆上部１４の部位１７のそれよりも高い。筒部１６における被覆上部１４の繊維密度と坪量とは、図１のそれらと同一であり、部位１７における被覆上部１４の繊維密度と坪量とは、図１のそれらと同一である。
【００４８】
防漏シート１０は、縦方向へ延びる固定側部１０ａと、被覆上部１４の上方へ起立性向を有する可動部１０ｂと、前後胴周り域５，７に位置しておむつ１Ｃの横方向内方へ倒伏した固定両端部１０ｃとを有する。可動部１０ｂの上方には、縦方向へ延びる伸縮性弾性部材１９が収縮可能に取り付けられている。
【００４９】
サイドフラップ８は、第２シート４の側部４ａと防漏シート１０の固定側部１０ａとから形成されている。サイドフラップ８には、縦方向へ延びる複数条の脚周り用弾性部材２０が収縮可能に取り付けられている。エンドフラップ９は、第１および第２シート３，４の端部３ｂ，４ｂから形成されている。エンドフラップ９では、筒部１６を画成する第１シート３の被覆上部１４が折り畳まれた状態で第２シート４に固着されている。防漏シート１０の固定両端部１０ｃは、第１シート３の端部３ｂに固着されている。エンドフラップ９には、横方向へ延びる帯状の胴周り用弾性部材２１が収縮可能に取り付けられている。
【００５０】
後胴周り域７のサイドフラップ８には、自由端部２２ｂに粘着剤（図示せず）が塗布されたテープファスナ２２が取り付けられている。前胴周り域５には、テープファスナ２２を着脱可能に止着する横方向へ長い矩形のターゲットテープ２３が取り付けられている。
【００５１】
おむつ１Ｃの着用中に排泄された尿は、着用者の尿排泄部位に当接する導水筒部１６の毛細管現象によって縦方向へ拡散する。尿は、筒部１６を介して縦方向へ拡散した後、筒部１６の上方から下方へ向かって滲透し、被覆上部１５の部位１７を横方向へ拡散する。おむつ１Ｃは、導水筒部１６が後胴周り域７にまで延びているので、尿を後胴周り域７に向かって拡散させることができ、後胴周り域７に位置するコア２に尿を吸収させることができる。尿は、被覆上部１４を透過してコア２の上面１１からコア２に吸収される。おむつ１Ｃは、筒部１６の繊維密度が部位１７のそれよりも高いので、筒部１６において毛細管現象が大きく作用し、尿が筒部１６から部位１７に達する前に、尿を縦方向へ素早く拡散させることができる。
【００５２】
おむつ１Ｃでは、尿が導水筒部１６を介して縦方向へ拡散した後、部位１７を横方向へ拡散するので、コア２の略全域を尿吸収に利用することができ、尿をコア２に短時間に吸収させることができる。おむつ１Ｃは、尿がその排泄位置から直ちに横方向へ拡散することはなく、おむつ１Ｃにおける尿の横漏れを防ぐことができる。おむつ１Ｃは、起立した防漏シート１０の可動部１０ｂが尿に対する障壁を形成するので、サイドフラップ８からの尿の横漏れを防ぐことができる。
【００５３】
不透液性第２シート４や不透液性防漏シート１０には、疎水性繊維不織布や通気不透液性プラスチックフィルム、２枚以上の疎水性繊維不織布をラミネートした複合不織布、疎水性繊維不織布と通気不透液性プラスチックフィルムとをラミネートした複合シートのいずれかを使用することができる。第２シート４や防漏シート１０には、高い耐水性を有するメルトブローン法による繊維不織布の少なくとも片面に、高い強度と良好な柔軟性とを有するスパンボンド法による繊維不織布を重ね合わせた複合不織布（ＳＭ不織布またはＳＭＳ不織布）を使用することもできる。
【００５４】
繊維不織布には、スパンレース、ニードルパンチ、メルトブローン、サーマルボンド、スパンボンド、ケミカルボンド、エアースルー、の各製法により製造されたものを使用することができる。不織布の構成繊維には、ポリオレフィン系やポリエステル系、ポリアミド系の各繊維、ポリエチレン／ポリプロピレンやポリエチレン／ポリエステルからなる芯鞘型複合繊維または並列型複合繊維を使用することができる。
【００５５】
第１および第２シート３，４どうしの固着、シート３，４に対する防漏シート１０の固着、シート３，４，１０に対する弾性部材１９，２０，２１の固着には、接着剤、または、ヒートシールやソニックシール等の熱による溶着手段を利用することもできる。
【００５６】
接着剤には、ホットメルト型接着剤やアクリル系接着剤、ゴム系接着剤を使用することができる。接着剤は、第１および第２シート３，４や防漏シート１０にスパイラル状やジグザグ状、ドット状、縞状のうちのいずれかの態様で塗布されている。接着剤をそのような態様でそれらシート３，４，１０に塗布すると、それらシート３，４，１０に接着剤が塗布された塗布域と接着剤が塗布されていない非塗布域とが形成される。
【００５７】
それらおむつ１Ａ，１Ｂ，１Ｃでは、導水筒部１６における被覆上下部１４，１５の繊維密度が導水筒部１６を除く被覆上下部１４，１５の残余の部位１７，１８の繊維密度と同一であってもよい。また、透液性第１シート３が２枚以上の親水性繊維不織布をラミネートした複合不織布から形成されていてもよい。
【００５８】
この発明は、着用時に前後胴周り域を連結するオープン型のおむつ１Ａ，１Ｂ，１Ｃの他に、前後胴周り域のサイドフラップがあらかじめ連結されて胴周り開口と脚周り開口とが形成されたパンツ型のおむつにも実施することができる。
【００５９】
【発明の効果】
本発明にかかる使い捨ておむつによれば、第１シートの被覆上部が縦中心線近傍でコアの上面から上方へ向かって実質的にループを画くことで、縦中心線に沿って縦方向へ延びる導水筒部を画成している。おむつの着用中に排泄された尿は、着用者の尿排泄部位に当接する導水筒部に滲入し、筒部の毛細管現象によって縦方向へ拡散する。このおむつは、尿が筒部を介して縦方向へ拡散した後、尿が筒部の上方から下方へ向かって滲透し、筒部を除く被覆上部の残余の部位を横方向へ拡散するので、コアの略全域を尿吸収に利用することができ、排泄された尿のすべてをコアに短時間に吸収させることができる。このおむつは、尿がその排泄位置から直ちに横方向へ拡散することはなく、おむつにおける尿の横漏れを防ぐことができる。
【００６０】
第１シートの被覆下部がコアの裂開部をとおってコアの上面から上方へ向かって実質的にループを画くことで、被覆上部と相互に導水筒部を画成しているおむつでは、尿が筒部を介して縦方向へ拡散した後、筒部の上方から下方へ向かって滲透し、尿が筒部を除く被覆上部の残余の部位を横方向へ拡散することはもちろん、尿が筒部を除く被覆下部の残余の部位を横方向へ拡散するので、コアの上面のみならず、コアの下面からも尿を吸収させることができ、排泄された尿のすべてをコアに一層短時間に吸収させることができる。
【００６１】
導水筒部の繊維密度がそこを除く被覆上下部の残余の部位の繊維密度よりも高いおむつでは、導水筒部において毛細管現象が大きく作用するので、尿が筒部から被覆上下部の残余の部位に達する前に、尿を縦方向へ素早く拡散させることができる。また、このおむつでは、尿が筒部から被覆上下部の残余の部位に達したとしても、尿の横方向への拡散に対して縦方向への拡散が促進され、尿が横方向へ拡散する前に尿を縦方向へ拡散させることができる。
【図面の簡単な説明】
【図１】一例として示すおむつの部分破断斜視図。
【図２】図１のＩＩ−ＩＩ線端面図。
【図３】図１のＩＩＩ−ＩＩＩ線矢視断面図。
【図４】他の一例として示すおむつの部分破断斜視図。
【図５】図４のＶ−Ｖ線端面図。
【図６】図４のＶＩ−ＶＩ線矢視断面図。
【図７】他の一例として示すおむつの部分破断斜視図。
【図８】図７のＶＩＩＩ−ＶＩＩＩ線端面図。
【図９】図７のＩＸ−ＩＸ線矢視断面図。
【符号の説明】
１Ａ          使い捨ておむつ
１Ｂ          使い捨ておむつ
１Ｃ          使い捨ておむつ
２            吸液性コア
３            透液性第１シート
４            不透液性第２シート
５            前胴周り域
６            股下域
７            後胴周り域
８            サイドフラップ
９            エンドフラップ
１１            上面
１２            下面
１３            裂開部
１４            被覆上部
１５            被覆下部
１６            導水筒部
１７            残余の部位
１８            残余の部位
Ｌ            縦中心線
【図１】
2004261200.tif 000003
【図２】
2004261200.tif 000004
【図３】
2004261200.tif 000005
【図４】
2004261200.tif 000006
【図５】
2004261200.tif 000007
【図６】
2004261200.tif 000008
【図７】
2004261200.tif 000009
【図８】
2004261200.tif 000010
【図９】
2004261200.tif 000011